(57)【要約】【課題】コイルの巻装面積を狭めることなく、バスバーの使用長さを短くして小型化及び低コストかを実現できるバスバーユニット及びこれを使用した回転電機を提供する。【解決手段】回転電機のステータコア１０に巻装したコイルＬｕ１〜Ｌｗ４の配線処理を行うバスバーユニットであって、前記各コイルを覆うように装着されるバスバー保持部材２３を備え、該バスバー保持部材２３は、前記コイルとは反対側の面上に形成されたコイルの外部配線処理部Ｙ２を相別に異なる案内路２７ｕ〜２７ｗで案内する配線案内部２５と、外部接続用バスバーを収納するバスバー収納部２６とを有する。【選択図】図２
2011182512.tif 000002
【特許請求の範囲】
【請求項１】
回転電機のステータコアに巻装したコイルの配線処理を行うバスバーユニットであって、
前記各コイルを覆うように装着されるバスバー保持部材を備え、
該バスバー保持部材は、前記コイルとは軸方向反対側の面上に形成されたコイルの配線処理部を相別に異なる案内路で案内する複数の配線案内部と、外部接続用バスバーを収納するバスバー収納部とを有することを特徴とするバスバーユニット。
【請求項２】
回転電機のステータコアに巻装したコイルの配線処理を行うバスバーユニットであって、
前記コイルを覆うように装着されるバスバー保持部材を備え、
該バスバー保持部材は、前記コイルとは軸方向反対側の面上に形成されたコイルの配線処理部を相別に異なる案内路で案内する複数の配線案内部と、外部接続用バスバーを収納するバスバー収納部と、外周側に形成された中性点接続導体を保持する中性点接続導体保持部と、該中性点接続導体保持部の結線部の近傍に形成した前記コイル側に貫通する案内孔とを有することを特徴とするバスバーユニット。
【請求項３】
前記各配線案内部の近傍に、前記コイル側に貫通して前記コイルの配線処理部を挿通する案内孔が形成されていることを特徴とする請求項１又は２に記載のバスバーユニット。
【請求項４】
前記各配線案内部は、同心円上に形成され、前記コイルの配線処理部を案内する案内側壁を有することを特徴とする請求項１乃至３の何れか１項に記載のバスバーユニット。
【請求項５】
前記バスバー保持部材の外周側に前記各配線案内部が形成され、内周側に前記バスバー収納部が形成されていることを特徴とする請求項１乃至４の何れか１項に記載のバスバーユニット。
【請求項６】
有底筒状のモータフレームと、該モータフレームの内周面に固定されて半径方向に突出する複数のティースを円周方向に等間隔に配置したステータコア及び該ステータコアの各ティースに巻装された複数のコイルを有するステータと、該ステータの軸方向端部に配設され、前記各コイルの配線処理部を処理する前記請求項１乃至５の何れか１項に記載のバスバーユニットと、前記ステータに所定間隙を保って対向して回転自在に支持されたロータとを備えたことを特徴とする回転電機。
【発明の詳細な説明】
【技術分野】
【０００１】
本発明は、回転電機のステータコアに巻装したコイルの配線処理を行うバスバーユニット及びこれを備えた回転電機に関する。
【背景技術】
【０００２】
この種の回転電機としては、例えば長手方向に湾曲されたバスバー本体及びバスバー本体の短手方向の片側端部から径方向に突出した接続部を有する複数のバスバーと、バスバー本体を収容するバスバーホルダとを備え、バスバーホルダは、バスバー本体の短手方向とその深さ方向とが一致するように且つバスバー本体が同心状となるようにバスバー本体を夫々収容すべく同心状に形成された複数の収容溝を有するとともに、バスバーホルダを貫通し、バスバー本体がそれぞれ収容溝に収容されたバスバーの接続部へコイルの端部を案内する複数の案内孔を有するバスバー装置、ブラシレスモータ及びブラシレスモータの製造方法が提案されている（例えば、特許文献１参照）。
【０００３】
また、電動機のステータを円形に配置した複数のステータセグメントで構成し、各ステータセグメントに装着されるインシュレータに、ヨークに対応させて２つの配線支持部を設け、一方の配線支持部に並列に形成され保持溝にＵ相、Ｖ相及びＷ相の３つの給電用のバスバーを挿入し、他方の配線支持部に形成された保持溝に中点接続用のバスバーが挿入され、各バスバーは断面が長方形であり、それぞれの長辺は回転軸と並行となっている電動機が提案されている（例えば、特許文献２参照）。
【先行技術文献】
【特許文献】
【０００４】
【特許文献１】特開２００８−２２００２７号公報
【特許文献２】特開２００８−３１２２７６号公報
【発明の概要】
【発明が解決しようとする課題】
【０００５】
しかしながら、上記特許文献１に記載された従来例にあっては、ともに給電用のＵ相、Ｖ相及びＷ相のバスバーを湾曲させて円周方向に略一周近く延長させるようにしているので、バスバーを構成している帯状導電部材の長さが長くなって使用量が多くなり、コストが嵩むとともに、バスバーユニットの小型化が困難であるという未解決の課題がある。
また、上記特許文献２に記載された従来例にあっては、インシュレータの外周部にバスバーを収容するための収容溝を設け、全周近くに渡ってバスバーを配置するので、上記特許文献１に記載された従来例と同様の未解決の課題があるとともに、インシュレータの外周部に３相分のバスバーを配置することにより、このバスバーを収容する収容溝部分を大きくとる必要があり、コイルを巻装する面積が減少してしまい、モータとしての出力が低下するという問題がある。このため、バスバーユニットとしては小型化が可能であるがモータの出力が低下するので、必要な出力を確保するためにはモータ自体を大きくせざるを得ないという未解決の課題がある。
【０００６】
そこで、本発明は、上記従来例の未解決の課題に着目してなされたものであり、コイルの巻装面積を狭めることなく、バスバーの使用長さを短くして小型化及び低コスト化を実現できるバスバーユニット及びこれを使用した回転電機を提供することを目的としている。
【課題を解決するための手段】
【０００７】
上記目的を達成するために、本発明の一の形態に係るバスバーユニットは、回転電機のステータコアに巻装したコイルの配線処理を行うバスバーユニットであって、前記各コイルを覆うように装着されるバスバー保持部材を備え、該バスバー保持部材は、前記コイルとは軸方向反対側の面上に形成されたコイルの配線処理部を相別に異なる案内路で案内する複数の配線案内部と、外部接続用バスバーを収納するバスバー収納部とを有することを特徴としている。
【０００８】
この構成によると、バスバー支持部材にコイルの配線処理部を案内する複数の配線案内部と、外部接続用バスバーを収納するバスバー収納部とを設けたので、配線案内部でコイルの配線処理部をバスバー収納部まで案内することから、バスバーの長さを短くすることができるとともに、コイルの巻装面積を狭めることがなく、バスバーユニットの小型化及び低コスト化が可能となる。
【０００９】
また、本発明の一の形態に係るバスバーユニットは、回転電機のステータコアに巻装したコイルの配線処理を行うバスバーユニットであって、前記各コイルを覆うように装着されるバスバー保持部材を備え、該バスバー保持部材は、前記コイルとは軸方向反対側の面上に形成されたコイルの配線処理部を相別に異なる案内路で案内する複数の配線案内部と、外部接続用バスバーを収納するバスバー収納部と、外周側に形成された中性点接続導体を保持する中性点接続導体保持部と、該中性点接続導体保持部の結線部の近傍に形成した前記コイル側に貫通する案内孔とを有することを特徴としている。
【００１０】
この構成によると、バスバー支持部材にコイルの配線処理部を案内する複数の配線案内部と、外部接続用バスバーを収納するバスバー収納部とを設けたので、配線案内部でコイルの配線処理部をバスバー収納部まで案内することから、バスバーの長さを短くすることができるとともに、コイルの巻装面積を狭めることがなく、バスバーユニットの小型化及び低コスト化が可能となる。さらに、各コイルの中性点接続を中性点接続導体保持部に保持された中性点接続導電部材に結線することにより容易に行うことができる。
【００１１】
また、本発明の他の形態に係るバスバーユニットは、前記各配線案内部の近傍に、前記コイル側に貫通して前記コイルの配線処理部を挿通する案内孔が形成されていることを特徴としている。
この構成によると、コイルの配線処理部を案内する配線案内部の近傍にコイル側に貫通する案内孔を形成したので、この案内孔を通じてコイルの配線処理部を引き出すことができ、配線処理を容易に行うことができる。
【００１２】
また、本発明の他の形態に係るバスバーユニットは、前記各配線案内部は、同心円上に形成され、前記コイルの配線処理部を案内する案内側壁を有することを特徴としている。
この構成によると、複数の配線案内部が同心円上に形成され、各配線案内部にコイルの配線処理部を案内する案内側壁が形成されているので、案内側壁を容易に形成することができるとともに、各配線案内部で案内する配線処理部を案内側壁で絶縁することができる。
【００１３】
また、本発明の他の形態に係るバスバーユニットは、前記バスバー保持部材の外周側に前記各配線案内部が形成され、内周側に前記バスバー収納部が形成されていることを特徴としている。
この構成によると、配線案内部が外周側に、バスバー収納部が内周側に配設されているので、バスバー収納部に収納される外部接続用バスバーの曲率を小さくしてバスバーから配線案内部側に半径方向に突出して形成するコイルの配線処理部を結線する結線部を近接配置しても、隣接する結線部同士の先端が重なることなく、両者間の絶縁を確実に図ることができる。
【００１４】
また、本発明の一の形態に係る回転電機は、有底筒状のモータフレームと、該モータフレームの内周面に固定されて半径方向に突出する複数のティースを円周方向に等間隔に配置したステータコア及び該ステータコアの各ティースに巻装された複数のコイルを有するステータと、該ステータの軸方向端部に配設され、前記各コイルの配線処理部を処理する上記の何れか１つに記載のバスバーユニットと、前記ステータに所定間隙を保って対向して回転自在に支持されたロータとを備えたことを特徴としている。
この構成によると、小型か及び低コスト化を図るバスバーユニットを適用して回転電機を構成することにより、回転電機を小型化及び低コスト化することができる。
【発明の効果】
【００１５】
本発明によれば、バスバー保持部材に、各コイルの配線処理部を案内する複数の配線案内部を形成するとともに、外部接続用バスバーを収納するバスバー収納部を形成したので、外部接続用バスバーの長さを短くしてバスバーユニットの低コスト化を図ることができるとともに、バスバーユニットを小型化することができ、さらに、必要なコイル巻装面積を狭めることがないという効果が得られる。
また、上記効果を有するバスバーユニットを使用して回転電機を構成するので、巻線の占積率低下による出力低下を伴うことなく低コスト化及び小型化を図ることができる回転電機を提供することができる。
【図面の簡単な説明】
【００１６】
【図１】本発明のバスバーユニットを適用したブラシレスモータを示す断面図である。
【図２】図１のバスバーユニットを拡大して示す拡大図である。
【図３】図１のモータフランジ、ロータ、軸受及びバスバーユニットを取り外した状態の正面図である。
【図４】図１のステータを示す斜視図である。
【図５】バスバーユニットの正面図である。
【図６】バスバーユニットの斜視図である。
【図７】バスバーユニットの分解斜視図である。
【図８】バスバーユニットの配線立ち上がり部の拡大斜視図である。
【図９】バスバーユニットの配線立ち上がり部を示す拡大断面図である。
【図１０】コイルの配線処理部を引き回した状態を示すバスバーユニットの正面図である。
【図１１】コイルのスター結線状態を示す配線図である。
【図１２】中性点接続導電部材を配置したバスバーユニットを示す正面図である。
【図１３】図１２のバスバーユニットの分解斜視図である。
【発明を実施するための形態】
【００１７】
以下、本発明の実施の形態を図面に基づいて説明する。
図１は本発明の第１の実施形態を示すバスバーユニットを適用した回転電機としてのブラシレスモータを表す断面図、図２はバスバーユニット部の拡大図、図３は図１のモータフランジ、ロータ、軸受及びバスバーユニットを取り外した状態の正面図である。図中、１は有底筒状のヨークとなるモータフレームであって、このモータフレーム１の開放端面がモータフランジ２によって閉塞されている。
モータフレーム１の底面及びモータフランジ２の中央部には回転軸３が軸受４及び５によって回転自在に支持され、この回転軸３のモータフレーム１内位置にステータコア６ａの表面に永久磁石６ｂを配置したロータ７が固定されている。
【００１８】
また、モータフレーム１の内周面にはロータ７との間に所定の空隙を介して対向するステータ８が配置されてインナーロータ型に構成されている。
このステータ８は、図３に示すように、１２個の分割コア９を円周方向に連接して構成されるステータコア１０を有する。分割コア９のそれぞれは、モータフレーム１の内周面に接触するバックコア部１１と、このバックコア部１１から半径方向に突出するティース１２とで構成されている。
【００１９】
そして、各分割コア９のティース１２には、図３に示すように、インシュレータ１４を介して例えば３相のＵ相コイルＬｕ１〜Ｌｕ４、Ｖ相コイルＬｖ１〜Ｌｖ４及びＷ相コイルＬｗ１〜Ｌｗ４が巻装されている。これらＵ相コイルＬｕ１〜Ｌｕ４、Ｖ相コイルＬｖ１〜Ｌｖ４及びＷ相コイルＬｗ１〜Ｌｗ４は、３時方向から反時計方向に順次Ｕ相コイルＬｕ１、Ｖ相コイルＬｖ１、Ｗ相コイルＬｗ１、Ｕ相コイルＬｕ２、Ｖ相コイルＬｖ２、Ｗ相コイルＬｗ２、Ｕ相コイルＬｕ３……Ｗ相コイルＬｗ４の順序で１２個のティース１２に巻装されている。
【００２０】
そして、各コイルＬｕ１〜Ｌｕ４、Ｌｖ１〜Ｌｖ４及びＬｗ１〜Ｌｗ４のモータフランジ２側にこれらを覆うようにバスバーユニット２１が図２及び図４に示すように近接して配設されている。このバスバーユニット２１は、中心開口２２を有する略円環板状の絶縁性を有する合成樹脂材で例えば射出成型されたバスバー保持部材２３を有する。このバスバー保持部材２３には、図２、図４、図６〜図８に示すように、コイルＬｕ１〜Ｌｕ４、Ｌｖ１〜Ｌｖ４及びＬｗ１〜Ｌｗ４側のコイル側端面に、外周縁部に分割コア９に形成された凹部９ａ内に嵌挿されて固定される固定脚部２４が突出形成されている。
【００２１】
また、バスバー保持部材２３のコイル側端面とは軸方向反対側のフランジ側端面には、その外周側に各コイルコイルＬｕ１〜Ｌｕ４、Ｌｖ１〜Ｌｖ４及びＬｗ１〜Ｌｗ４の給電側配線処理部を案内する配線案内部２５が形成され、内周側に外部接続用のＵ相バスバーＢＢｕ、Ｖ相バスバーＢＢｖ及びＷ相バスバーＢＢｗを収納するバスバー収納部２６が形成されている。
【００２２】
配線案内部２５は、Ｕ相コイルＬｕ１〜Ｌｕ４を案内するＵ相配線案内路２７ｕ、Ｖ相コイルＬｖ１〜Ｌｖ４を案内するＶ相配線案内路２７ｖ及びＷ相コイルＬｗ１〜Ｌｗ４を案内するＷ相配線案内路２７ｗが内周側から異なる径の同心円状に形成されている。
各案内路２７ｕ、２７ｖ及び２７ｗの夫々は、図５〜図７に示すように、バスバー保持部材２３上に同心的に半径方向に所定距離離間して形成された隔壁２８ａ、２８ｂ、２８ｃ及び２８ｄの互いに対向する案内側壁２９とバスバー保持部材２３のフランジ側端面とで囲まれて形成されている。
【００２３】
ここで、各案内路２７ｕ、２７ｖ及び２７ｗには、図５に示すように、それぞれについて所定角度ずれた位置に、コイル側端面に貫通して、コイルＬｕ１〜Ｌｕ４、Ｌｖ１〜Ｌｖ４及びＬｗ１〜Ｌｗ４の配線処理部を挿通する案内孔３１が形成されている。
隣接する隔壁２８ａ及び２８ｂ、２８ｂ及び２８ｃ、２８ｃ及び２８ｄのバスバー収納部２６に対向する位置に、図８で拡大図示するように、下端側に配線通路を残して上端側を連結した配線立ち上げ部３２が各案内路２７ｕ〜２７ｗについて所定距離離れた２個所ずつで、且つ各案内路２７ｕ、２７ｖ及び２７ｗで所定角度ずれた位置となるように形成されている。
【００２４】
また、バスバー収納部２６は、隔壁２８ａ〜２８ｄより高い隔壁３５ａ〜３５ｄが例えば１／４周長程度に渡って同心的に半径方向に所定距離保って形成され、これら隔壁３５ａ〜３５ｄの時計方向端部が端板部３６で連結され、隔壁３５ａ及び３５ｂ間でＵ相バスバーＢＢｕを収納するＵ相バスバー収納部３７ｕが形成され、隔壁３５ｂ及び３５ｃ間でＶ相バスバーＢＢｖを収納するＶ相バスバー収納部３７ｖが形成され、隔壁３５ｃ及び３５ｄ間でＷ相バスバーＢＢｗを収納するＷ相バスバー収納部３７ｗが形成されている。さらに、各相バスバー収納部３７ｕ〜３７ｗの反時計方向端部に半径方向に向かう端子収納部３８ｕ、３８ｖ及び３８ｗが形成されている。
【００２５】
そして、各バスバー収納部３７ｕ〜３７ｗに収納されるＵ相バスバーＢＢｕ、Ｖ相バスバーＢＢｖ及びＷ相バスバーＢＢｗのそれぞれは、図７で特に明らかなように、軸方向から見て円弧状の帯状導電部材４１と、この帯状導電部材４１の軸方向のフランジ側端面から半径方向に突出する結線用突出部４２と、帯状導電部材４１の反時計方向端部におけるフランジ側端面から半径方向に突出する幅広の外部接続端子４３とで構成されている。
【００２６】
ここで、各バスバーＢＢｕ〜ＢＢｗの帯状導電部材４１の円周長さはＵ相バスバーＢＢｕが一番長く設定され、次いでＶ相バスバーＢＢｂが中間の長さに設定され、次いでＷ相バスバーＢＢｗが一番短く設定されている。また、各バスバーＢＢｕ〜ＢＢｗの軸方向高さは配線案内部２５の隔壁２８ａ〜２８ｄの高さより僅かに高い高さに設定され、Ｗ相バスバーＢＢｗの結線用突出部４２はＷ相バスバーＢＢｗのフランジ側端面から半径方向に突出され、Ｖ相バスバーＢＢｖの結線用突出部４２は、Ｗ相バスバーＢＢｗの結線用突出部４２より高い高さから半径方向に突出され、Ｕ相バスバーＢＢｕの結線用突出部４２はＶ相バスバーＢＢｖの結線用突出部４２より高い高さから半径方向に突出されている。したがって、バスバーＢＢｕ〜ＢＢｗで結線用突出部４２が異なる高さ位置に配設されている。
【００２７】
そして、隔壁２８ｂ、２８ｃ及び２８ｄには、図８に示すように、Ｕ相バスバーＢＢｕの結線用突出部４２を挿通する切欠部４４がフランジ側端面から形成され、隔壁２８ｃ及び２８ｄにはＶ相バスバーＢＢｖの結線用突出部４２を挿通する切欠部４５がフランジ側端面から形成され、隔壁２８ｄにはＷ相バスバーＢＢｗの結線用突出部４２を挿通する切欠部４６がフランジ側端面から形成されている。
【００２８】
このように、上記第１の実施形態によると、ステータ８の分割コア９のティース１２にインシュレータ１４を介して各相コイルＬｕ１〜Ｌｕ４、Ｌｖ１〜Ｌｖ４及びＬｗ１〜Ｌｗ４を巻装した後に、図１１に示すように、各相コイルＬｕ１〜Ｌｕ４、Ｌｖ１〜Ｌｖ４及びＬｗ１〜Ｌｗ４の一端側の中性点配線処理部Ｙ１を図示しない円環状の中性点接続用導電部材を使用して接続することにより、Ｕ相、Ｖ相及びＷ相で、４つのコイルＬｉ１〜Ｌｉ４（ｉ＝ｕ、ｖ、ｗ）を並列に接続したスター結線接続を行うことができる。
【００２９】
そして、各相コイルＬｕ１〜Ｌｕ４、Ｌｖ１〜Ｌｖ４及びＬｗ１〜Ｌｗ４の他端側の給電処理部となる外部配線処理部Ｙ２については、相コイル毎に、図１０に示すように、バスバー保持部材２３に設けた案内孔３１を背面側から通じて正面側の各相配線案内路２７ｕ、２７ｖ及び２７ｗに案内させた状態で、バスバー保持部材２３の固定脚部２４を分割コア９間に嵌挿して固定する。この図１０では、Ｕ相コイルＬｕ４、Ｖ相コイルＬｖ３及びＷ相コイルＬｗ３の外部配線処理部Ｙ２をそれぞれ配線案内路２７ｕ、２７ｖ及び２７ｗで案内する場合を示している。
【００３０】
その後、Ｕ相コイルＬｕ４、Ｖ相コイルＬｖ３及びＷ相コイルＬｗ３の外部配線処理部Ｙ２を各相配線案内路２７ｕ、２７ｖ及び２７ｗに案内させて立ち上げ部３２まで延長させ、この立ち上げ部３２を越えた位置で図９に示すように立ち上げて、Ｕ相バスバーＢＢｕ、Ｖ相バスバーＢＢｖ及びＷ相バスバーＢＢｗの結線用突出部４２に結線し、溶接、半田付け等の固定手段で固定する。
他のコイルの外部配線処理部Ｙ２についても相毎に配線案内路２７ｕ、２７ｖ及び２７ｗで案内して、立ち上げ部３２で立ち上げて、Ｕ相バスバーＢＢｕ、Ｖ相バスバーＢＢｖ及びＷ相バスバーＢＢｗの結線用突出部４２に結線し、溶接、半田付け等の固定手段で固定する。
【００３１】
そして、図１１に示すスター結線が完成した時点で外部接続用バスバーＢＢｕ、ＢＢｖ及びＢＢｗの外部接続端子４３にモータフレーム１の外部に導出する外部導出導体を接続することにより、外部給電端子を構成する。
このように、上記第１の実施形態によれば、バスバー保持部材２３に配線案内部２５とバスバー収納部２６とを形成し、配線案内部２５で各相コイルＬｕ１〜Ｌｕ４、Ｌｖ１〜Ｌｖ４及びＬｗ１〜Ｌｗ４の外部配線処理部Ｙ２を案内して、バスバー収納部２６に収納された各相バスバーＢＢｕ、ＢＢｖ及びＢＢｗの結線用突出部４２に結線することにより、各相コイルＬｕ１〜Ｌｕ４、Ｌｖ１〜Ｌｖ４及びＬｗ１〜Ｌｗ４の配線処理を容易に行うことができる。
【００３２】
このとき、各相コイルＬｕ１〜Ｌｕ４、Ｌｖ１〜Ｌｖ４及びＬｗ１〜Ｌｗ４の外部配線処理部Ｙ２をそれぞれ個別の配線案内路２７ｕ、２７ｖ及び２７ｗで案内し、各配線案内路２７ｕ、２７ｖ及び２７ｗ間には隔壁２８ｂ及び２８ｃが存在することから相間の絶縁を確保することができる。このため、配線案内路２７ｕ、２７ｖ及び２７ｗで案内される各相コイルＬｕ１〜Ｌｕ４、Ｌｖ１〜Ｌｖ４及びＬｗ１〜Ｌｗ４の外部配線処理部Ｙ２の引き回し長さを長くすることができ、これに応じて各相バスバーＢＢｕ、ＢＢｖ及びＢＢｗの円周方向の長さを短くすることができる。したがって、バスバーユニット２１を小型化することができるとともに、低コスト化することができる。しかも、バスバーユニット２１を各相コイルＬｕ１〜Ｌｕ４、Ｌｖ１〜Ｌｖ４及びＬｗ１〜Ｌｗ４の軸方向端部に配置しているので、ティース１２のコイル装着面積が狭くなることがなく、ブラシレスモータの出力が占積率の低下によって低減することを確実に防止して、高出力を確保することができる。
【００３３】
また、バスバー保持部材２３の外周側に配線案内部２５を形成し、内周側にバスバー収納部２６を形成することにより、バスバー収納部２６に収納した各相バスバーＢＢｕ、ＢＢｖ及びＢＢｗの帯状導電部材４１から配線案内部２５側に突出する結線用突出部４２が放射状に突出することになり、隣接する結線用突出部４２との間隔が半径方向の外方に行くに従い広がるので、各結線用突出部４２を近接配置しても絶縁性を確保することができるとともに、外部配線処理部Ｙ２との結線作業を容易に行うことができる。しかも、各相バスバーＢＢｕ、ＢＢｖ及びＢＢｗの結線用突出部４２の軸方向高さを異ならせているので、軸方向高さが低い方の結線用突出部４２から順次高い方の結線用突出部４２に結線作業を行うことにより、結線作業をより容易に行うことができる。
【００３４】
さらに、バスバー保持部材２３の配線案内路２７ｕ、２７ｖ及び２７ｗの近傍に案内孔３１が貫通形成されているので、各相コイルＬｕ１〜Ｌｕ４、Ｌｖ１〜Ｌｖ４及びＬｗ１〜Ｌｗ４の外部配線処理部Ｙ２の配線案内路２７ｕ、２７ｖ及び２７ｗ側への挿通を容易に行うことができる。
また、配線案内路２７ｕ〜２７ｗが同心円状に配置されているので、各相コイルＬｕ１〜Ｌｕ４、Ｌｖ１〜Ｌｖ４及びＬｗ１〜Ｌｗ４の外部配線処理部Ｙ２の案内を容易且つ確実に行うことができ、外部配線処理部Ｙ２の引き回し作業を容易に行うことができるとともに、配線案内路２７ｕ〜２７ｗを形成する隔壁２８ａ〜２８ｄの形成を容易に行うことができる。
【００３５】
さらに、バスバー保持部材２３は固定脚部２４が分割コア９の連結位置に嵌挿されて固定されているので、モータフレーム１に振動が伝達された場合でも、バスバー保持部材２３が外れることは確実に保持することができる。この場合、固定脚部２４を分割コア９の連結位置に接着剤等で固定することにより、より強固に固定することができる。
なお、上記第１の実施形態においては、各相バスバーＢＢｕ、ＢＢｖ及びＢＢｗに結線用突出部４２を２個形成した場合について説明したが、結線用突出部４２の数は１以上の任意数とすることができる。
【００３６】
また、上記第１の実施形態においては、案内孔３１を通じて外部配線処理部Ｙ２を配線案内路２７ｕ〜２７ｗ側に突出させる場合について説明したが、これに限定されるものではなく、案内孔３１の一部又は全部を省略し、これに代えてバスバー保持部材２３の外周縁から各相コイルＬｕ１〜Ｌｕ４、Ｌｖ１〜Ｌｖ４及びＬｗ１〜Ｌｗ４の外部配線処理部Ｙ２を配線案内路２７ｕ、２７ｖ及び２７ｗに案内するようにしてもよい。
【００３７】
次に、本発明の第２の実施形態を図１２及び図１３について説明する。
この第２の実施形態では、バスバー保持部材２３に、外部接続用バスバーに加えて中性点接続用導電部材も配置するようにしたものである。
すなわち、第２の実施形態では、図１２及び図１３に示すように、バスバー保持部材２３の配線案内部２５の外周側に中性点接続を行う中性点接続導体（中性点バスバー）５１を収納する中性点接続導体保持部５２が形成され、この中性点接続導体保持部５２と配線案内部２５との間にバスバー保持部材２３を貫通する案内孔５３が形成されている。
【００３８】
ここで、中性接続用導体５１は、図１３で特に明らかなように、一部を開放して開環状に形成された帯状導電部材５１ａと、この帯状導電部材５１ａの軸方向のモータフランジ２側の端面における各相コイルＬｕ１〜Ｌｕ４、Ｌｖ１〜Ｌｖ４及びＬｗ１〜Ｌｗ４と対向する位置にそれぞれ軸方向に突出して形成された１２個のＵ字状の結線用突出部５１ｂとで構成されている。
【００３９】
また、中性点接続導体保持部５２は、バスバー保持部材２３の外周縁側に所定間隔を保って形成された一対の円環状の側壁５４及び５５とバスバー保持部材２３の端面とで断面Ｕ字状の溝部として形成されている。そして、中性点接続導体保持部５２に中性点接続導体５１が嵌合されている。
この第２の実施形態によると、各相コイルＬｕ１〜Ｌｕ４、Ｌｖ１〜Ｌｖ４及びＬｗ１〜Ｌｗ４の外部配線処理部Ｙ２については、配線案内路２７ｕ、２７ｖ及び２７ｗで案内してバスバー収納部２６に収納された各相バスバーＢＢｕ、ＢＢｖ及びＢＢｗに結線する。
【００４０】
一方、各相コイルＬｕ１〜Ｌｕ４、Ｌｖ１〜Ｌｖ４及びＬｗ１〜Ｌｗ４の中性点配線処理部Ｙ１については、それぞれ案内孔５３を通じて中性点接続導体５１側に突出させ、この中性点接続導体５１の結線用突出部５１ｂに結線し、溶接、半田付け等の固定手段で固定する。
したがって、バスバー保持部材２３に、各相コイルＬｕ１〜Ｌｕ４、Ｌｖ１〜Ｌｖ４及びＬｗ１〜Ｌｗ４の外部配線処理部Ｙ２を接続する各相バスバーＢＢｕ、ＢＢｖ及びＢＢｗを配置するとともに、中性点配線処理部Ｙ１を接続する中性点接続導体５１とを配置したので、バスバー保持部材２３で、各相コイルＬｕ１〜Ｌｕ４、Ｌｖ１〜Ｌｖ４及びＬｗ１〜Ｌｗ４の外部配線処理部Ｙ２及び中性点配線処理部Ｙ１の双方を集中して結線処理することができ、配線処理をより容易に行うことができる。
【００４１】
なお、上記第２の実施形態においては、各相コイルＬｕ１〜Ｌｕ４、Ｌｖ１〜Ｌｖ４及びＬｗ１〜Ｌｗ４の中性点配線処理部Ｙ１を案内孔５３を通じて中性点接続導体５１側に突出させる場合について説明したが、これに限定されるものではなく、案内孔５３の一部又は全部を省略して、バスバー保持部材２３の外周縁側から中性点配線処理部Ｙ１を中性点接続導体５１の結線用突出部５１ｂに案内するようにしてもよい。
【００４２】
また、上記第１及び第２の実施形態においては、バスバー保持部材２３に隔壁２８ａ〜２８ｄ、３５ａ〜３５ｄを設けて案内壁面を形成して、バスバー保持部材２３の表面側に配線案内部２５及びバスバー収納部２６を形成した場合について説明したが、これに限定されるものではなく、バスバー保持部材２３に案内溝を形成して配線案内部を形成するとともに、同様に案内溝を形成してバスバー収納部を形成し、配線案内部及びバスバー収納部を形成するようにしてもよく、中性点導体収納部についても溝部で形成することができる。
【００４３】
また、上記第１及び第２の実施形態においては、バスバー保持部材２３とバスバーＢＢｕ〜ＢＢｗとを別体に構成する場合について説明したが、これに限定されるものではなく、バスバー保持部材２３とバスバーＢＢｕ〜ＢＢｗとをインサート成形して一体化するようにしてもよい。
また、上記第１及び第２の実施形態においては、ロータ７を表面磁石型に構成した場合について説明したが埋込磁石型に構成することもできる。
【００４４】
また、上記第１及び第２の実施形態においては、１２個の分割コア９でステータコア１０を形成する場合について説明したか、これに限定されるものではなく、分割コア９の分割数は任意に設定することができ、一体型のステータコアとすることもできる。
また、上記第１及び第２の実施形態においては、モータフレーム１及びステータコア１０を円筒形に形成する場合について説明したが、これに限定されるものではなく、多角筒状に形成することもできる。
また、上記第１及び第２の実施形態においては、本発明をブラシレスモータに適用した場合について説明したが、これに限定されるものではなく、同期電動機や誘導電動機等の他の回転電機にも本発明を適用することができる。
【符号の説明】
【００４５】
１…モータフレーム、２…モータフランジ、３…回転軸、６ａ…ロータコア、６ｂ…永久磁石、７…ロータ、８…ステータ、９…分割コア、１０…ステータコア、１１…バックコア部、１２…ティース、１４…インシュレータ、２１…バスバーユニット、２３…バスバー保持部材、２５…配線案内部、２６…バスバー収納部、２７ｕ…Ｕ相配線案内路、２７ｖ…Ｖ相配線案内路、２７ｗ…Ｗ相配線案内路、２８ａ〜２８ｄ…隔壁、３１…案内孔、３２…立ち上がり部、３５ａ〜３５ｄ…隔壁、３７ｕ…Ｕ相バスバー収納部、３７ｖ…Ｖ相バスバー収納部、３７ｗ…Ｗ相バスバー収納部、ＢＢｕ…Ｕ相バスバー、ＢＢｖ…Ｖ相バスバー、ＢＢｗ…Ｗ相バスバー、Ｙ１…中性点配線処理部、Ｙ２…外部配線処理部、５１…中性点接続導体、５１ａ…帯状導電部材、５１ｂ…結線用突出部、５２…中性点接続導体収納部、５３…案内孔、５４，５５…側壁
【図１】
2011182512.tif 000003
【図２】
2011182512.tif 000004
【図３】
2011182512.tif 000005
【図４】
2011182512.tif 000006
【図５】
2011182512.tif 000007
【図６】
2011182512.tif 000008
【図７】
2011182512.tif 000009
【図８】
2011182512.tif 000010
【図９】
2011182512.tif 000011
【図１０】
2011182512.tif 000012
【図１１】
2011182512.tif 000013
【図１２】
2011182512.tif 000014
【図１３】
2011182512.tif 000015